(57)【要約】【課題】  ワイヤー保護部材という１部品をランプケースに取り付けてその孔部に樹脂被覆ワイヤーを挿通させるというだけの簡単な構成を採用することにより、樹脂被覆ワイヤーの皮膜の熱劣化や溶融を防いで、その熱劣化に起因するＤＶＤの損傷などを防ぐ。【解決手段】  ランプ５から直線状に導き出された樹脂被覆ワイヤー６を、アルミニウム製のランプケース１の後端部に取り付けた樹脂製のワイヤー保護部材７の孔部７１に挿通させる。第１及び第２の２つのケース要素２，３を合わせてビス止めしてランプケース１を組み立てる際に、ワイヤー保護部材７の突出片部８３を共締め結合する。ワイヤー保護部材７に、樹脂被覆ワイヤー６を覆う突出片７２，７３を設ける。【選択図】        図１
2007141697.tif 000002
【特許請求の範囲】
【請求項１】
ランプから導き出された樹脂被覆ワイヤーがそのランプを収容しているランプケースの内側から外側へ向けて引き出されているプロジェクタのランプユニットにおいて、
上記ランプの後端部から直線状に導き出された上記樹脂被覆ワイヤーが、アルミニウム製の上記ランプケースの後端部に取り付けられたワイヤー保護部材の孔部に挿通されることによってそのランプケースの内側から外側へ向けて引き出されていると共に、そのワイヤー保護部材が上記ランプケースよりも熱伝導率の小さい樹脂成形体でなり、
上記ランプケースが第１及び第２の２つのケース要素に分割され、かつ、上記ワイヤー保護部材がその孔部を横切る箇所で第１及び第２の２つの部材に分割されていて、上記ランプケースが第１及び第２の２つの上記ケース要素を合わせてビス止めすることにより構成されていると共に、上記ワイヤー保護部材に設けられたビス止め用の突出片部が２つの上記ケース要素をビス止めしている取付けビスによってそれらのケース要素に共締め結合されることによって、そのワイヤー保護部材が上記ランプケースに取り付けられ、
上記孔部に挿通されている上記樹脂被覆ワイヤーが、第１及び第２の上記２つの部材で挟持されてその樹脂被覆ワイヤーの挿通箇所の通風隙間が可及的小さく抑えられ、
上記ワイヤー保護部材に、上記ランプの後端部に向けて延び出て上記樹脂被覆ワイヤーを挟む両側に配備された一対の突出片が備わっていることを特徴とするプロジェクタのランプユニット。
【請求項２】
ランプから導き出された樹脂被覆ワイヤーがそのランプを収容しているランプケースの内側から外側へ向けて引き出されているプロジェクタのランプユニットにおいて、
上記樹脂被覆ワイヤーが、上記ランプケースに取り付けられてそのランプケースよりも熱伝導率の小さい樹脂製のワイヤー保護部材の孔部を挿通してランプケースの内側から外側へ向けて引き出されていることを特徴とするプロジェクタのランプユニット。
【請求項３】
上記樹脂被覆ワイヤーがランプの後端部から直線状に導き出されて上記ランプケースの後端部に取り付けられた上記ワイヤー保護部材の孔部に挿通されていると共に、そのワイヤー保護部材に、上記ランプの後端部に向けて延び出て上記樹脂被覆ワイヤーを覆う突出片が備わっている請求項２に記載したプロジェクタのランプユニット。
【請求項４】
上記ワイヤー保護部材が、その孔部を横切る箇所で第１及び第２の２つの部材に分割されていて、上記孔部に挿通されている上記樹脂被覆ワイヤーが、第１及び第２の上記２つの部材で挟持されてその樹脂被覆ワイヤーの挿通箇所の通風隙間が可及的小さく抑えられている請求項２又は請求項３に記載したプロジェクタのランプユニット。
【請求項５】
上記ランプケースが第１及び第２の２つのケース要素を合わせてビス止めすることにより構成されていると共に、上記ワイヤー保護部材に設けられたビス止め用の突出片部が２つの上記ケース要素をビス止めしている取付けビスによってそれらのケース要素に共締め結合されることによって、そのワイヤー保護部材が上記ランプケースに取り付けられている請求項２ないし請求項４のいずれか１項に記載したプロジェクタのランプユニット。
【発明の詳細な説明】
【技術分野】
【０００１】
本発明は、プロジェクタのランプユニット、特に、ランプを収容しているランプケースの内側から外側へ引き出された樹脂被覆ワイヤーの熱劣化などを防ぐことによって安全性を向上させるという対策が講じられたプロジェクタのランプユニットに関する。
【背景技術】
【０００２】
図７にプロジェクタの基本的な構成を説明的に示してある。このプロジェクタは、偏平な箱形の筐体の内部に、ランプユニット１００、エンジン２００、パワーユニット３００などのほか、空気流を生じさせるためのファン４００や投写用のレンズユニット５００などが内蔵されていて、ランプユニット１００を光源として、レンズユニット５００から投写された画像がその前方のスクリーンに映し出される。そして、この種のプロジェクタにおいて、ランプユニット１００は最も高温を発生する発熱源の１つである。
【０００３】
ところで、ラップユニット１００は、アルミニウム製のランプケースと、そのランプケースに収容されているランプとを備えていて、ランプから導き出された給電用の樹脂被覆ワイヤーがランプケースの内側から外側へ引き出されていて、その樹脂被覆ワイヤーの樹脂被覆層を形成している皮膜には、たとえば２００℃程度の耐熱仕様が与えられている。これに対し、ランプケースは、ランプユニット１００の稼働によってたとえば１５０℃以上の高温になるとされている。
【０００４】
このようなプロジェクタにおいて、ランプケースが１５０℃以上に加熱されるとしても、ランプユニット１００の上記樹脂被覆ワイヤーの皮膜に２００℃程度の耐熱性が与えられているためにその皮膜には熱劣化などが生じにくいようにも考えられるけれども、実際には、樹脂被覆ワイヤーの皮膜がランプケースに対する挿通箇所で高温に加熱されたランプケースに長時間に亘って接触したままになるとその皮膜が溶けるおそれが生じ、仮に皮膜が溶けて内部芯線がむき出しになると、その樹脂被覆ワイヤーの高圧電流がランプケースのグランドレベルとつながり、デジタルマイクロミラーデバイス（ＤＭＤ）などの電子部品を破損させるおそれがある。また、ランプケース内で対流する高温の空気も２００℃程度にまで昇温するために、その空気が樹脂被覆ワイヤーの皮膜に接触し続けて皮膜を熱劣化させたり、皮膜がＵＶ被爆に起因する劣化を引き起こしたりする。さらに、ランプケース内の高温空気が、樹脂被覆ワイヤーの挿通箇所から外部に排気されることは極力回避しておくことが望ましく、そのような排気が十分に回避されていないと、筐体の内部温度が上がり過ぎて様々な不都合の引き起こされる可能性がある。
【０００５】
一方、従来では、ミラー付きランプを収容しているハウスに取り付けた端子８４に、ランプから導き出されてハウス内空間を引き回されたリード線の端部を接続したランプユニットが提案されていた（たとえば、特許文献１参照）。
【０００６】
また、大型映像表示装置の表示素子では、ランプから引き出されたリード線を短くして、そのリード線の端部を導電パターンを介してコネクタ部に接続することが行われていた（たとえば、特許文献２参照）。さらに、放電ランプの周囲に配備された凹面反射ミラーの曲面部に、放電ランプから引き出された給電線が挿通される金属製円筒管を取り付けた光源装置（たとえば、特許文献３参照）や、ショートアークメタルハライドランプから導出したワイヤーを、反射鏡に取り付けた金属端子に固着するようにしたショートアークメタルハライドランプ装置（たとえば、特許文献４参照）が知られていた。
【特許文献１】特開２００２−７５０１４号公報
【特許文献２】特開平８−２０３４２１号公報
【特許文献３】特開２００２−２２２６０１号公報
【特許文献４】実用新案登録第３００４７９３号公報
【発明の開示】
【発明が解決しようとする課題】
【０００７】
しかしながら、上掲の各特許文献１〜４では、冒頭に記載した樹脂被覆ワイヤーに相当しているリード線や給電線、ワイヤーなどの皮膜が熱劣化することを防ぐ対策については触れられてない。
【０００８】
そこで、本発明は、冒頭で説明した問題点、すなわち、樹脂被覆ワイヤーの皮膜がランプケースに対する挿通箇所で高温に加熱されて溶けるおそれがあるという問題点、高温空気が樹脂被覆ワイヤーの皮膜に接触し続けて皮膜を熱劣化させたり、皮膜がＵＶ被爆して劣化したりするといった問題点を解消することのできるプロジェクタのランプユニットを提供することを目的とする。
【０００９】
また、本発明は、ランプケース内の高温空気が、ランプケースに対する樹脂被覆ワイヤーの挿通箇所から外部に排気されることを防ぐことによってプロジェクタの様々な性能低下が起こることを回避することのできるプロジェクタのランプユニットを提供することを目的とする。
【課題を解決するための手段】
【００１０】
本発明に係るプロジェクタのランプユニットは、ランプから導き出された樹脂被覆ワイヤーがそのランプを収容しているランプケースの内側から外側へ向けて引き出されている。そして、上記樹脂被覆ワイヤーが、上記ランプケースに取り付けられてそのランプケースよりも熱伝導率の小さい樹脂製のワイヤー保護部材の孔部を挿通してランプケースの内側から外側へ向けて引き出されている。
【００１１】
この構成を採用することにより、樹脂被覆ワイヤーの皮膜が、高温に加熱されるランプケースに直接に接触して高温に晒されるという事態が防止される。その結果、樹脂被覆ワイヤーの皮膜がランプケースに対する挿通箇所で高温に加熱されて溶けるという事態が起こらなくなり、そのことが、デジタルマイクロミラーデバイス（ＤＭＤ）などの電子部品の保護にも役立つようになる。
【００１２】
本発明では、上記樹脂被覆ワイヤーがランプの後端部から直線状に導き出されて上記ランプケースの後端部に取り付けられた上記ワイヤー保護部材の孔部に挿通されていると共に、そのワイヤー保護部材に、上記ランプの後端部に向けて延び出て上記樹脂被覆ワイヤーを覆う突出片が備わっていることが望ましい。これによれば、ランプケース内で対流する高温の空気が樹脂被覆ワイヤーの皮膜に接触し続けるという状況が、ワイヤー保護部材の突出片による遮蔽作用によって軽減されるために、皮膜の熱劣化が軽減されることと併せて、皮膜がＵＶ被爆して劣化するという事態を軽減することに役立つ。
【００１３】
本発明では、上記ワイヤー保護部材が、その孔部を横切る箇所で第１及び第２の２つの部材に分割されていて、上記孔部に挿通されている上記樹脂被覆ワイヤーが、第１及び第２の上記２つの部材で挟持されてその樹脂被覆ワイヤーの挿通箇所の通風隙間が可及的小さく抑えられていることが望ましい。これによれば、ランプケース内の高温空気が上記通風隙間を通過してランプケースの外側に排気されるという事態が起こりにくくなる。特に、上記通風隙間が生じないように樹脂被覆ワイヤーを第１及び第２の上記２つの部材で挟持させることによって、高温空気がその通風隙間を通過しないようにしておくと、筐体の内部温度が上がり過ぎるという事態が未然に防止されてプロジェクタに要求される性能の低下も抑制されるという利点がある。
【００１４】
本発明では、上記ランプケースが第１及び第２の２つのケース要素を合わせてビス止めすることにより構成されていると共に、上記ワイヤー保護部材に設けられたビス止め用の突出片部が２つの上記ケース要素をビス止めしている取付けビスによってそれらのケース要素に共締め結合されることによって、そのワイヤー保護部材が上記ランプケースに取り付けられているという構成を採用することが可能であり、これによれば、ワイヤー保護部材をランプケースに取り付けるためにビスなどの余分な部品を用いる必要がなくなる。
【００１５】
本発明に係るプロジェクタのランプユニットは、ランプから導き出された樹脂被覆ワイヤーがそのランプを収容しているランプケースの内側から外側へ向けて引き出されているプロジェクタのランプユニットにおいて、上記ランプの後端部から直線状に導き出された上記樹脂被覆ワイヤーが、アルミニウム製の上記ランプケースの後端部に取り付けられたワイヤー保護部材の孔部に挿通されることによってそのランプケースの内側から外側へ向けて引き出されていると共に、そのワイヤー保護部材が上記ランプケースよりも熱伝導率の小さい樹脂成形体でなり、上記ランプケースが第１及び第２の２つのケース要素に分割され、かつ、上記ワイヤー保護部材がその孔部を横切る箇所で第１及び第２の２つの部材に分割されていて、上記ランプケースが第１及び第２の２つの上記ケース要素を合わせてビス止めすることにより構成されていると共に、上記ワイヤー保護部材に設けられたビス止め用の突出片部が２つの上記ケース要素をビス止めしている取付けビスによってそれらのケース要素に共締め結合されることによって、そのワイヤー保護部材が上記ランプケースに取り付けられ、上記孔部に挿通されている上記樹脂被覆ワイヤーが、第１及び第２の上記２つの部材で挟持されてその樹脂被覆ワイヤーの挿通箇所の通風隙間が可及的小さく抑えられ、上記ワイヤー保護部材に、上記ランプの後端部に向けて延び出て上記樹脂被覆ワイヤーを挟む両側に配備された一対の突出片が備わっている、という構成を採用することによっていっそう具体化される。この発明の作用などについては、後述する実施形態を参照して詳細に説明する。
【発明の効果】
【００１６】
以上の説明から明らかなように、本発明に係るプロジェクタのランプユニットによれば、ワイヤー保護部材という１部品をランプケースに取り付けてその孔部に樹脂被覆ワイヤーを挿通させるというだけの簡単な構成を採用したものでありながら、樹脂被覆ワイヤーの皮膜の熱劣化や溶融が防止され、その熱劣化に起因するＤＶＤの損傷や破損といった事態が防止されるという効果、ランプケース内の高温空気によって樹脂被覆ワイヤーの皮膜が熱劣化したりＵＶ被爆により劣化したりするといった状況が起こりにくくなるという効果、さらには、ランプケース内の高温空気がランプケースに対する樹脂被覆ワイヤーの挿通箇所から外部に排気されなくなるという効果が奏される。そのために、耐用性に優れたランプユニットを提供することができることは勿論、ユーザにとっても長期に亘って安全で安定したプロジェクタの使用が可能になるという効果が得られる。
【発明を実施するための最良の形態】
【００１７】
図１は本発明の実施形態に係るランプユニットの要部の概略側面図であり、図２はランプユニットの内部構造を示した概略斜視図、図３はランプケース１にワイヤー保護部材７の下キャップ８１を取り付けた状態でのランプユニットの内部構造を示した概略平面図、図４はランプケース１にワイヤー保護部材７を取り付けた状態でのランプユニットの内部構造を示した概略平面図、図５はワイヤー保護部材７の概略斜視図、図６はワイヤー保護部材７の概略分解斜視図である。
【００１８】
図１において、１はランプケースで、第１ケース要素としての下側ケース要素２と、第２ケース要素としての上側ケース要素３とに分割されていて、それら２つのケース要素２，３を合わせることによって中空のランプケース１が構成される。このランプケース１にはランプ５が収容されている。このランプ５は発光源や光反射部材を備えていて、図３又は図４のように、発光源に接続された給電用の樹脂被覆ワイヤー６が、ランプ５の後端部から側方へまっすぐに延び出ている。また、ランプケース１の後端部にワイヤー保護部材７が取り付けられていて、このワイヤー保護部材７に備わっている孔部７１に上記樹脂被覆ワイヤー６が挿通されてランプケース１の内側から外側に引き出されている。そして、上記ワイヤー保護部材７には、ランプケース１よりも熱伝導率の小さい樹脂成形体が用いられている。
【００１９】
このランプユニットは、図７を参照して説明したところと同様に、偏平な箱形の筐体の内部にエンジン２００やパワーユニット３００などと共に内蔵されていて、そのランプユニットを光源として、レンズユニット５００から投写された画像がその前方のスクリーンに映し出されるようになっている。
【００２０】
ランプユニットにおいて、ランプケース１がアルミニウム製であるのに対し、樹脂被覆ワイヤー６は、樹脂被覆としての皮膜６１によって内部芯線６２が被覆されている。そして、その皮膜６１には２００℃程度の耐熱性を備える樹脂が用いられている。
【００２１】
以上の構成において、ランプケース１に対する樹脂被覆ワイヤー６の挿通箇所では、その樹脂被覆ワイヤー６がワイヤー保護部材７の孔部７１に挿通されているために、その樹脂被覆ワイヤー６がランプケース１に直接には接触しておらず、しかも、ランプケース１の熱が、ランプケース１よりも熱伝導率の小さなワイヤー保護部材７を経て樹脂被覆ワイヤー６の皮膜６１に伝わるようになる。そのため、樹脂被覆ワイヤー６の皮膜６１には、１５０℃以上に加熱されたランプケース１の熱が伝わりにくくなり、その結果、皮膜６１が熱劣化を起こしにくくなり、ましてやその皮膜６１が溶融して内部芯線６２がむき出しになるという事態が生じない。したがって、樹脂被覆ワイヤー６の高圧電流がランプケース１のグランドレベルとつながるという事態が起こらず、ＤＭＤなどの電子部品を破損させるという事態も起こらない。
【００２２】
特に、この実施形態では、図４に示したように、ワイヤー保護部材７に、ランプ５の後端部に向けて延び出て樹脂被覆ワイヤー６を挟む両側に配備された一対の突出片７２，７３を具備させてある。こうしておくと、樹脂被覆ワイヤー６の皮膜６１が突出片７２，７３により覆われてランプケース１内で対流する高温の空気で熱劣化を起こす程度が軽減されることが確認された。また、樹脂被覆ワイヤー６の皮膜６１がＵＶ被爆に起因する劣化を引き起こしたりする程度も軽減されることが確認された。
【００２３】
また、この実施形態では、ワイヤー保護部材７の孔部７１の大きさを、樹脂被覆ワイヤー６の外形太さと同等かそれよりもやゝ小さく定めてあり、そうすることによって、その孔部７１での樹脂被覆ワイヤー６の挿通箇所に通風隙間が形成されないか、あるいは、通風隙間を可及的小さく抑えてある。そのため、ランプケース１内の高温空気が、樹脂被覆ワイヤー６の挿通箇所から外部に排気されることが極力回避されるようになり、そのことが、プロジェクタの筐体の内部温度の過度の上昇を抑えることに役立っている。したがって、プロジェクタの筐体の内部温度が上がり過ぎて様々な部品が熱による損傷を受けたり誤作動を起こしたりすることがなくなり、ユーザが安定した画像を楽しむことができるようになる。
【００２４】
この実施形態に用いられているワイヤー保護部材７の具体的構成を図５又は図６を参照して説明する。このワイヤー保護部材７は、孔部７１を横切る箇所で図６に示したように第１部材としての下キャップ８１と第２部材としての上キャップ８５とに分割されていると共に、下キャップ８１に上記した片側の突出片７２が備わり、上キャップ８５に上記した他側の突出片７３が備わっている。そして、下キャップ８１に具備させた位置決め突起８２に、上キャップ８５に具備させてある位置決め孔（不図示）を嵌め込んで上下のキャップ８１，８５を重ね合わせることによって、図５のように孔部７１を備えたワイヤー保護部材７が構成されるようになっている。また、下キャップ８１には、ビス挿通孔８４を備えるビス止め用の突出片部８３が一体に設けられている。
【００２５】
これに対し、図１に示したように、ランプケース１を形成している上下の各ケース要素２，３には、ビス止め用のフランジ２１，３１が一体に設けられている。そして、図３のように下側ケース要素２にワイヤー保護部材７の下キャップ８１を配備してその上に樹脂被覆ワイヤー６を乗せ、次に、図４のように下キャップ８１の上に上キャップ８５を重ねた後、ランプケース１の上側ケース要素３を下側ケース要素３に合わせると、上下の各ケース要素２，３のフランジ２１，３１が重なると共に、ワイヤー保護部材７側の上記突出片部８３が、上記フランジ２１，３１の下側に重なる。したがって、そのように重ね合わされた突出片部８３とフランジ２１，３１とを１本のビス８を用いて共締めしてランプケース１を結合すると、ワイヤー保護部材７も同時にそのランプケース１に共締め結合される。この構成を採用したことにより、ワイヤー保護部材７をランプケース１に取り付けるために余分なビスを用いる必要がなくなり、しかも、ランプケース１を組み立てるときに同時にワイヤー保護部材７がそのランプケース１に取り付けられるようになってランプユニットの量産性が向上した。その上、そのようにしてワイヤー保護部材７の下キャップ８１と上キャップ８５とを締め付けると、その孔部７１に挿通されている樹脂被覆ワイヤー６が下キャップ８１と上キャップ８５とにより挟持されて樹脂被覆ワイヤー６の挿通箇所の通風隙間を容易に可及的小さく抑えることができた。
【図面の簡単な説明】
【００２６】
【図１】本発明の実施形態に係るランプユニットの要部の概略側面図である。
【図２】ランプユニットの内部構造を示した概略斜視図である。
【図３】ランプケースにワイヤー保護部材の下キャップを取り付けた状態でのランプユニットの内部構造を示した概略平面図である。
【図４】ランプケースにワイヤー保護部材を取り付けた状態でのランプユニットの内部構造を示した概略平面図である。
【図５】ワイヤー保護部材の概略斜視図である。
【図６】ワイヤー保護部材の概略分解斜視図である。
【図７】プロジェクタの基本的な構成を示した説明図である。
【符号の説明】
【００２７】
１  ランプケース
２  下側ケース要素（第１ケース要素）
３  上側ケース要素（第２ケース要素）
５  ランプ
６  樹脂被覆ワイヤー
７  ワイヤー保護部材
７１  孔部
７２，７３  突出片
８１  下キャップ（第１の部材）
８３  突出片部
８５  上キャップ（第２の部材）
【図１】
2007141697.tif 000003
【図２】
2007141697.tif 000004
【図３】
2007141697.tif 000005
【図４】
2007141697.tif 000006
【図５】
2007141697.tif 000007
【図６】
2007141697.tif 000008
【図７】
2007141697.tif 000009